(57)【要約】【課題】良好な受信感度を保ちつつ、電界ノイズを遮断することのできるアンテナ装置及び電波受信機器を提供する。【解決手段】長尺なコア７１の中間部に形成されたコイル７２を備えたアンテナ装置７は、液晶基板５１の近傍に配置されているが、この液晶基板５１からの電界ノイズの影響を回避するために、コイル７２の外周面を覆い電界ノイズを遮断するための磁気シールド部材７６を設けている。この磁気シールド部材７６のうち、液晶基板５１からの電界ノイズの影響を受けない位置に、コア７１の軸周方向のループ電流の発生を阻止するスリット部７８が、長手方向の一端から他端に亘って連続して設けられている。【選択図】図３
2011018955.tif 000002
【特許請求の範囲】
【請求項１】
液晶パネルと、
前記液晶パネルの近傍に設けられ、長尺なコアとこの長尺なコアの中間部に巻き線を施すことにより形成されたコイルとこのコイルの外周面を覆い電界ノイズを遮断する磁気シールド部材とを備えたアンテナ装置とを備え、
前記磁気シールド部材のうち、前記液晶パネルからの電界ノイズの影響を受けない位置に、前記磁気シールド部材における前記コアの軸周方向のループ電流の発生を阻止する絶縁部が、前記磁気シールド部材の長手方向の一端から他端に亘って連続して設けられていることを特徴とする電波受信機器。
【請求項２】
長尺なコアとこの長尺なコアの中間部に巻き線を施すことにより形成されたコイルとこのコイルの外周面を覆い電界ノイズを遮断する磁気シールド部材とを備え、
前記コアの両端部は、前記コイルを覆う前記磁気シールド部材よりも外方向に突出しており、
前記磁気シールド部材には、前記磁気シールド部材における前記コアの軸周方向のループ電流の発生を阻止する絶縁部が、前記磁気シールド部材の長手方向の一端から他端に亘って連続して設けられていることを特徴とするアンテナ装置。
【請求項３】
前記絶縁部は、空気絶縁によって前記ループ電流の発生を阻止するスリット部であることを特徴とする請求項２に記載のアンテナ装置。
【請求項４】
前記絶縁部は、前記磁気シールド部材の一部に前記コアの長手方向に沿って絶縁部材を配置することにより構成されていることを特徴とする請求項２に記載のアンテナ装置。
【請求項５】
請求項２に記載のアンテナ装置と、
このアンテナ装置が設けられた本体ケースと、
を備えていることを特徴とする電波受信機器。
【発明の詳細な説明】
【技術分野】
【０００１】
本発明は、アンテナ装置及び電波受信機器に関するものである。
【背景技術】
【０００２】
従来、時刻情報を含む標準電波を受信するアンテナ装置を備え、自動的に現在時刻を修正する電波時計等の電波受信機器が知られている。そして、例えば電波時計において標準電波を受信するアンテナ装置としては、電波に含まれる電界成分、磁界成分のうち、磁界成分を検出するタイプのもの（例えば、受信感度のよい磁性材料であるアモルファス金属やフェライト等からなるコアにコイルが巻回されてなるバーアンテナ）が多く用いられている。
【０００３】
このようなアンテナ装置を高感度のものとするためには、コイルを形成する際に巻き線を多く施すことによりインダクタンスを大きくして、共振抵抗を大きくすることが考えられる。しかし、この共振抵抗の抵抗値が大きくなると、アンテナ装置は磁界成分だけでなく電界成分も受信するようになり、電界ノイズを拾うようになってしまう。
【０００４】
そこで、導電率が高く比透磁率が１近傍の金属膜でアンテナ装置の周囲を覆うことにより、アンテナ装置への電界ノイズの混入を防止する構成が提案されている（例えば、特許文献１参照）。
【先行技術文献】
【特許文献】
【０００５】
【特許文献１】特開２００５−９８６４号公報
【発明の概要】
【発明が解決しようとする課題】
【０００６】
しかしながら、特許文献１に記載されている技術では、アンテナ装置の全体を金属で覆うため、磁界成分を検出する部分も金属で覆われてしまうこととなる。このため、受信感度の低下を避けるため、厚さの薄い金属膜を用いることとしていた。
しかし、薄い金属膜で覆っただけでは、ノイズ除去の効果を十分に得ることができない可能性もある。
【０００７】
そこで、本発明は以上のような事情に鑑みてなされたものであり、良好な受信感度を保ちつつ、電界ノイズを遮断することのできるアンテナ装置及び電波受信機器を提供することを目的とするものである。
【課題を解決するための手段】
【０００８】
前記課題を解決するために、請求項１に記載の電波受信機器は、
液晶パネルと、
前記液晶パネルの近傍に設けられ、長尺なコアとこの長尺なコアの中間部に巻き線を施すことにより形成されたコイルとこのコイルの外周面を覆い電界ノイズを遮断する磁気シールド部材とを備えたアンテナ装置とを備え、
前記磁気シールド部材のうち、前記液晶パネルからの電界ノイズの影響を受けない位置に、前記磁気シールド部材における前記コアの軸周方向のループ電流の発生を阻止する絶縁部が、前記磁気シールド部材の長手方向の一端から他端に亘って連続して設けられていることを特徴としている。
【０００９】
また、請求項２に記載のアンテナ装置は、
長尺なコアとこの長尺なコアの中間部に巻き線を施すことにより形成されたコイルとこのコイルの外周面を覆い電界ノイズを遮断する磁気シールド部材とを備え、
前記コアの両端部は、前記コイルを覆う前記磁気シールド部材よりも外方向に突出しており、
前記磁気シールド部材には、前記磁気シールド部材における前記コアの軸周方向のループ電流の発生を阻止する絶縁部が、前記磁気シールド部材の長手方向の一端から他端に亘って連続して設けられていることを特徴としている。
【００１０】
また、請求項３に記載の発明は、請求項２に記載のアンテナ装置において、
前記絶縁部は、空気絶縁によって前記ループ電流の発生を阻止するスリット部であることを特徴としている。
【００１１】
また、請求項４に記載の発明は、請求項２に記載のアンテナ装置において、
前記絶縁部は、前記磁気シールド部材の一部に前記コアの長手方向に沿って絶縁部材を配置することにより構成されていることを特徴としている。
【００１２】
また、請求項５に記載の電波受信機器は、
請求項２に記載のアンテナ装置と、
このアンテナ装置が設けられた本体ケースと、
を備えていることを特徴としている。
【発明の効果】
【００１３】
この発明によれば、液晶パネルの近傍に設けられている場合でも、コイルの外周面を覆う磁気シールド部材を設けて電界ノイズを遮断するので、電解ノイズによる受信感度の低下を防ぐことができる。また、磁気シールド部材のうち、液晶パネルからの電界ノイズの影響を受けない位置に、ループ電流の発生を阻止する絶縁部が設けられているため、ループ電流の発生による損失を回避することができるとの効果を奏する。
【図面の簡単な説明】
【００１４】
【図１】本発明に係る電波受信機器の一例である電波腕時計の概略構成を示す正面図である。
【図２】第１の実施形態におけるアンテナ装置と液晶パネルユニットと回路基板との位置関係を示す平面図である。
【図３】図２における矢視IIIから見たアンテナ装置、液晶パネルユニット及び回路基板の側面図である。
【図４】図３に示すアンテナ装置の側面図である。
【図５】図４における矢視V―V線断面図である。
【図６】図４に示すアンテナ装置を矢視VIから見た正面図である。
【図７】（ａ）は、第２の実施形態におけるアンテナ装置の正面図であり、（ｂ）は、（ａ）における矢視b−b線断面図であり、（ｃ）は、磁気シールド部材の斜視図である。
【図８】（ａ）は、スリット部を有する磁気シールド部材を備えたアンテナ装置の一例を示したものであり、（ｂ）は、絶縁部材を有する磁気シールド部材を備えたアンテナ装置の一例を示したものである。
【図９】（ａ）は、スリット部を有する磁気シールド部材を備えたアンテナ装置の一例を示したものであり、（ｂ）は、絶縁部材を有する磁気シールド部材を備えたアンテナ装置の一例を示したものである。
【発明を実施するための形態】
【００１５】
［第１の実施の形態］
先ず、図１から図６を参照しつつ、本発明に係るアンテナ装置及び電波受信機器の第１の実施形態を説明する。なお、本実施形態では、電波受信機器としての電波腕時計にアンテナ装置を搭載する場合を例として説明する。なお、本発明の範囲は図示例に限定されない。
【００１６】
図１は、本実施形態における電波腕時計を示す正面図である。また、図２は、アンテナ装置７と液晶パネルユニット５と回路基板６との位置関係を示す平面図であり、図３は、図２を矢視III方向から見た側面図である。
【００１７】
図１に示すように、電波腕時計１００には、本体ケース（以下「時計ケース１」という。）が設けられている。時計ケース１は、例えばステンレスやチタン等の金属その他の導電性部材により、短柱形状に形成されている。
時計ケース１の内側は上下が開口した中空状になっており、この中空部分が各種部品を収納する収納空間を与える収納部となる。
【００１８】
この時計ケース１の図１における上下両端部には、バンド取付部１２が形成されており、各バンド取付部１２には図示しない時計バンドが取り付けられるようになっている。
また、時計ケース１の外周部には、時刻合わせの指示などの種々の操作指示が入力される複数の操作ボタン１３が設けられている。
【００１９】
図２に示すように、この時計ケース１の視認側（表面側）には、視認側の開口部を閉塞するように非導電性の透明材料であるガラス等で形成された時計ガラス部材３が図示しない防水リングを介して装着されている。
時計ガラス部材３の下方には、後述する液晶パネルユニット５による表示に対応した枠部を有する文字板１８が設けられている。
【００２０】
また、時計ケース１の視認側とは反対側（裏面側）には、当該時計ケース１の裏面側の開口部を閉塞する図示しない裏蓋部材が防水リングを介して取り付けられている。
【００２１】
また、この時計ケース１の内部には、各種電子部品６３を搭載する回路基板６（図３参照）と、回路基板６の上側（視認側）に積層される液晶パネルユニット５と、回路基板６に電気的に接続されたアンテナ装置７とが設けられている。
液晶パネルユニット５、回路基板６及びアンテナ装置７は、図示しないモジュールケース内に収納・保持されて時計ケース１の内部に配置されている。
【００２２】
液晶パネルユニット５は、例えば２枚のガラス板の間に液晶状態の物質を封入してなる液晶パネルである液晶基板５１を主体として形成されている。
本実施形態において、液晶パネルユニット５は、この液晶基板５１を図３における上下方向から挟むように設けられた一対の偏光板５２と、液晶基板５１及び偏光板５２の下方に配置されたバックライト５３とを備えており、液晶基板５１に、偏光板５２およびバックライト５３が積層される構成となっている。バックライト５３は、例えばＥＬ（electro-luminescence）素子等を備えて構成されている。なお、液晶パネルユニット５の構成、形状等は特に限定されない。例えば、液晶基板５１に、偏光板５２、バックライト５３を積層しない構成としてもよい。
液晶基板５１は、インターコネクタ５５を介して回路基板６上の液晶パネル用端子６６と接続されている。
【００２３】
本実施形態において、回路基板６は、図２に示すように、ほぼ四角形状に形成されている。本実施形態において、回路基板６には、例えば、電波腕時計１００の各部を制御するＣＰＵ等の制御ＩＣ６３ａ、アンテナ装置７によって検出された電気信号を増幅・復調して標準電波に含まれる時刻データを取り出す検波ＩＣ６３ｂや、発振器を有して現在時刻を計時する計時回路（図示せず）等の各種電子部品６３が搭載されている。また、回路基板６上には各部に電力を供給する電池６４が配設されている。
【００２４】
回路基板６における裏面側の面の一端側には、アンテナ装置７のリードフレーム７７が接続される一対のアンテナ用端子６５が設けられている。アンテナ用端子６５は同調コンデンサ６８を介して検波ＩＣ６３ｂに接続されている。
また、回路基板６における視認側の面であってアンテナ用端子６５が設けられている側とは反対側の端部には側端縁に沿って複数の液晶パネル用端子６６が設けられている。各液晶パネル用端子６６は、インターコネクタ５５を介して、液晶基板５１上のそれぞれ対応する図示しない端子と接続されている。
【００２５】
ここで、図３から図６を参照しつつ、本実施形態におけるアンテナ装置７について、具体的に説明する。
図３は、アンテナ装置７が回路基板６に接続されている様子を示す側面図である。また、図４は、本実施形態におけるアンテナ装置７の側面図であり、図５は、図４に示すV−V線断面図であり、図６は、図４における矢視VI方向から見たアンテナ装置７の正面図である。
【００２６】
図５及び図６に示すように、本実施形態におけるアンテナ装置７は、長尺なコア７１と、このコア７１の中間部にコイル線材７２ａを巻きつけることにより構成されたコイル７２と、コア７１の両端部を被覆する一対の保持部材７５と、コイル７２の外周面を覆い電界ノイズを遮断（電界ノイズを反射・吸収）する磁気シールド部材７６を備えており、コア７１内を外部から送られてきた電波が通過すると、コイル７２に誘起電流が発生するように構成されている。コイル７２を構成するコイル線材７２ａの端部は、後述するリードフレーム７７を介して回路基板６上に設けられたアンテナ用端子６５（図２参照）と電気的に接続されており、アンテナ装置７により得られた信号が回路基板６上の検波ＩＣ６３ｂに送られるようになっている。
【００２７】
コア７１は、電波腕時計１００の厚み方向に重畳して配置された複数の板状部材７１ａから形成されている。なお、複数の板状部材７１ａは、積層状態を維持できるように接着剤等により互いに固定されていることが好ましい。板状部材７１ａを接着固定する接着剤としては、例えば、非導電性であって、熱によって硬化する熱硬化性の接着剤を好適に用いることができる。なお、板状部材７１ａを接着固定する接着剤はここに例示したものに限定されない。
【００２８】
各板状部材７１ａは、アモルファス合金等の透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料により形成されている。
なお、コア７１を形成する材料は、アモルファス合金に限定されず、薄い板状に形成可能な磁性材料であれば適用可能である。
【００２９】
図５に示すように、コア７１の両端部には、それぞれ保持部材７５が被せられている。保持部材７５は、樹脂により形成されており、コイル７２から突出するコア７１の端部を保持する保持部７５１と、コイル線材７２ａをコア７１の中央部に巻きつける際のガイドとなるとともにコイル７２の端部を規制するガイド部７５５とを備えて構成されている。
【００３０】
保持部７５１は、コア７１の端部の断面積よりも僅かに大きい開口部を有しコア７１の端部を収納するようになっている。保持部７５１は、板状部材７１ａを積層してなるコア７１の端部を内部に収納することにより、コア７１の端部を外部からの衝撃による破損等から保護するようになっている。
【００３１】
本実施形態において、一方の保持部７５１の一端には、図示しない接続用凸部が立設されている。この接続用凸部には、それぞれ後述するリードフレーム７７が係合されている。
なお、接続用凸部はどちら側の保持部材７５に設けられていてもよい。アンテナ装置７の配置の仕方、アンテナ装置７を配置するモジュールケースの構成に応じて柔軟な接続を可能とするように、両方の保持部材７５にそれぞれ接続用凸部を設けるようにしてもよい。
【００３２】
また、ガイド部７５５は、保持部７５１よりも上側（電波腕時計１００の視認側）に張り出すとともに、コア７１の延在方向に対して直交する方向に延在するように設けられている。
本実施形態において、コイル線材７２ａをコア７１の中央部に巻きつけてコイル７２を構成する際、一方側の保持部材７５のガイド部７５５から他方側の保持部材７５のガイド部７５５までの間が巻き線を施す部分となり、ガイド部７５５によって、コイル７２の両端部が規制される。このため、コイル７２の端部においてコイル線材７２ａがずれることがなく、コイル線材７２ａを端から端まできれいに巻きつけることができる。
【００３３】
リードフレーム７７は、ほぼＬ字型に形成された薄板状の部材であり、このリードフレーム７７の一端側には、コイル線材７２ａの端部が接続されている。また、リードフレーム７７の他端側は回路基板６上に設けられた接続端子８５（図２参照）と接続されている。これにより、コイル７２がリードフレーム７７を介してアンテナ用端子６５と電気的に接続されるようになっている。
リードフレーム７７とコイル線材７２ａとの端部の接続部分及びリードフレーム７７とアンテナ用端子６５との接続部分は、例えば半田付け等により固定されている。なお、リードフレーム７７は必須のものではなく、コイル線材７２ａの両端部を直接アンテナ用端子６５と接続してもよい。
【００３４】
磁気シールド部材７６は、金属等の導体で形成されており、コイル７２の外周面のみを覆い、コア７１の両端部は、この磁気シールド部材７６よりも外方向に突出するようになっている。
本実施形態において、磁気シールド部材７６は、コイル７２の周面を覆い、両端が開口するほぼ筒状の第１のシールド部材７６ａと、この第１のシールド部材７６ａの両端の開口部を覆う第２のシールド部材７６ｂとから構成されている。
第２のシールド部材７６ｂは、第１のシールド部材７６ａの開口部に嵌め込むことにより係止されているが、さらに接着剤等によって固定されていることが好ましい。
なお、第２のシールド部材７６ｂは必須の構成要素ではないが、第２のシールド部材７６ｂによって第１のシールド部材７６ａの開口部を覆うことにより、シールド性がより高まるため好ましい。
【００３５】
第１のシールド部材７６ａの内面には、コイル７２と接触してショートしないように絶縁処理が施されていることが望ましい。本実施形態では、絶縁処理として、絶縁材料を第１のシールド部材７６ａの内面に塗布することによって膜状の絶縁部７６ｃを構成している。なお、絶縁処理は必須の処理ではない。また、絶縁処理を施す場合の手法はここに例示したものに限定されない。
なお、アモルファス等、導電性が高く。絶縁積層されたコアの場合には、金属等の導体で形成された磁気シールド部材７６が接触してもループ電流は生じず、特に問題は生じない。このため、第２のシールド部材７６ｂには、特に絶縁処理を施す必要はない。
【００３６】
図３に示すように、第１のシールド部材７６ａには、液晶基板５１（液晶パネル）からの電界ノイズの影響を受けない位置に、磁気シールド部材７６におけるコア７１の軸周方向のループ電流の発生を阻止する絶縁部として、空気絶縁によってループ電流の発生を阻止するスリット部７８が、磁気シールド部材７６の長手方向の一端から他端に亘って連続して設けられている。
スリット部７８の幅は特に限定されず、絶縁されているとみなせる程度の空隙があればよいが、できる限り狭い方が効果であり望ましい。
なお、スリット部７８は、液晶基板５１（液晶パネル）からの電界ノイズの影響を受けない位置、すなわち、例えば液晶基板５１、これを含む液晶パネルユニット５と対向する位置等以外の位置に設けられていればよく、図４及び図６に示す位置に限定されない。例えば、スリット部７８を第１のシールド部材７６ａにおける液晶基板５１と対向する面とは反対側に位置する面に設けてもよい。
【００３７】
第２のシールド部材７６ｂの一端には、コア７１を保持する保持部材７５を挿通させるための切欠き部が設けられており、保持部材７５に被覆されたコア７１の両端部が、この切欠き部から磁気シールド部材７６の外側に突出している。
【００３８】
次に、本実施形態に係るアンテナ装置７及びこれを備える電波腕時計１００の作用について説明する。
【００３９】
電波腕時計１００の組み立て時においては、まず、板状部材７１ａを複数枚積層し、これらが一体となるように接着剤で固定してコア７１を形成する。次に、このコア７１の両端部をそれぞれ保持部材７５の保持部７５１に収納して、コア７１の両端部を保持部材７５によって被覆する。その後、一方側の保持部材７５のガイド部７５５から他方側の保持部材７５のガイド部７５５までの間にコイル線材７２ａを順次巻きつけていき、コイル７２を形成する。
さらに、コイル７２の外周面を覆うように第１のシールド部材７６ａを配置する。第１のシールド部材７６ａは、筒状になったものを用意して、コア７１とコア７１に巻回されたコイル７２とを、筒状の第１のシールド部材７６ａの一端側から他端側に挿通させるようにしてコイル７２の外周面を覆う位置に配置してもよいし、板状の導体をコイル７２の外周面に巻きつけて形状を整えるようにしてもよい。
次に、第２のシールド部材７６ｂを、第１のシールド部材７６ａの開口部に嵌め込み、接着固定することにより第１のシールド部材７６ａの開口部を閉塞する。これによりアンテナ装置７が完成する。
さらに、保持部材７５にリードフレーム７７を取り付け、リードフレーム７７の一端側に、コイル線材７２ａの端部を接続する。そして、このリードフレーム７７の他端側を回路基板６上に設けられたアンテナ用端子６５に接続して、それぞれ半田付けにより固定する。
【００４０】
その後、完成したアンテナ装置７、回路基板６、液晶パネルユニット５をモジュールケースに収納して、時計ケース１内に収納し、さらに、裏蓋部材を時計ケース１の裏面側の開口部に嵌め込んで裏面側の開口部を閉塞する。
【００４１】
液晶基板５１（液晶パネル）や外部からは電界ノイズが発生し（図３における矢印参照）、アンテナ装置７、特に、コイル７２、リードフレーム７７、同調コンデンサ６８等は、この電界ノイズの影響を受けやすいが、本実施形態では、電波に含まれる電界ノイズが磁気シールド部材７６によって遮断（反射・吸収）される。そして、電波腕時計１００による標準電波受信時においては、電波の磁界成分が、電波を遮蔽しない材料によって形成された非導電性の部材である時計ガラス部材３、文字板１８上等を透過して、アンテナ装置７のコア７１に進入する。そして、一方側のコア７１からアンテナ装置７に進入した磁束は、コア７１の他方側の端部へと通過する。この通過の際に、コア７１に巻回されたコイル７２に交流電流が誘導され（誘起電流）、これに伴ってコイル７２の両端に交流電圧が発生する。そして、この交流電圧が同調コンデンサ６８を介してアナログ受信信号として検波ＩＣ６３ｂに送られる。このとき、磁気シールド部材７６に設けられたスリット部７８によりコア７１の軸周方向のループ電流の発生が阻止されているので、損失による受信感度の低下を生じることもない。
そして、検波ＩＣ６３ｂにより、このアナログ受信信号について増幅、復調、デコード等の処理が行われ、デジタルの時刻データが取得される。電波腕時計１００は、取得された時刻データに基づいて、適宜現在時刻の修正を行う。
【００４２】
以上のように、本実施形態によれば、アンテナ装置７が電波の磁気成分のみならず電界成分も拾ってしまうような場合でも、磁気シールド部材７６によって電界ノイズを確実に遮断（反射・吸収）することができる。そして、この磁気シールド部材７６はコイル７２の外周部のみを覆っており、コア７１の端部はこの磁気シールド部材７６よりも外側に突出しているため、磁気シールド部材７６によって磁界成分の受信が妨げられない。このため、磁気シールド部材７６を厚みのある金属板等で構成してもアンテナ装置７の受信感度を良好に維持することができる。
また、磁気シールド部材７６の長手方向の一端から他端に亘って連続してスリット部７８が設けられているため、コア７１の軸周方向のループ電流の発生を阻止することができ、良好な受信感度を維持することができる。
【００４３】
また、複数の板状部材７１ａを積層した長尺なコア７１を備えているため、効率よく磁束を集めることが可能となり、受信感度が良好で、かつ小型の電波腕時計１００を実現することができる。
【００４４】
また、このような複数の板状部材７１ａを積層したコア７１を用いた場合でも、コア７１の両端部が保持部材７５により被覆されているため、コア７１の端部が破損等することを回避することができる。
【００４５】
［第２の実施の形態］
次に、図７（ａ）から図７（ｃ）を参照しつつ、本発明に係るアンテナ装置及び電波受信機器の第２の実施形態について説明する。なお、本実施形態は、アンテナ装置の磁気シールド部材の形状のみが第１の実施形態と異なるため、以下においては、特に第１の実施形態と異なる点について説明する。
【００４６】
図７（ａ）は、本実施形態におけるアンテナ装置８の上面図であり、図７（ｂ）は、図７（ａ）におけるb−b線断面図であり、図７（ｃ）は、本実施形態における磁気シールド部材の斜視図である。
【００４７】
本実施形態において、アンテナ装置７は、第１の実施形態と同様に、長尺なコア７１と、このコア７１の中間部にコイル線材７２ａを巻きつけることにより構成されたコイル７２と、コア７１の両端部を被覆する一対の保持部材７５と、コイル７２の外周面を覆い電界ノイズを遮断（電界ノイズを反射・吸収）する磁気シールド部材８１を備えている。
【００４８】
本実施形態における磁気シールド部材８１は、図７（ｃ）に示すように、コイル７２を覆う箱型形状に形成されており、一端側にスリット部８２が形成されている。スリット部８２は、磁気シールド部材７６の長手方向の一端から他端に亘って連続して設けられており、コアの軸周方向のループ電流の発生を阻止する絶縁部となっている。
【００４９】
磁気シールド部材８１は、長手方向に沿って、第１部材８１ａと第２部材８１ｂとに分割可能となっており、第１部材８１ａと第２部材８１ｂとによってコイル７２を挟み込むようにし、両者を係合させることによって、コイル７２の外周面をシールドするようになっている。
なお、図７（ｃ）では、第１部材８１ａと第２部材８１ｂとがほぼ２分の１ずつに分割されるように構成されている例を示したが、第１部材８１ａと第２部材８１ｂとの分割位置は、ここに例示したものに限定されない。
また、磁気シールド部材８１の内側であって、コイル７２と接触する部分には絶縁材料を塗布することによって膜状の絶縁部８３を構成する等の絶縁処理が施されている。絶縁処理を施す場合の手法が特に限定されないことは前述の通りである。
【００５０】
なお、その他のアンテナ装置８及び電波受信機器としての電波腕時計の構成は、第１実施形態に示したものと同様であるので、同一箇所には同一の符号を付してその説明を省略する。
【００５１】
次に、本実施形態に係るアンテナ装置８及びこれを備える電波腕時計の作用について説明する。
【００５２】
電波腕時計の組み立て時においては、まず、板状部材７１ａを複数枚積層し、これらが一体となるように接着剤で固定してコア７１を形成する。次に、このコア７１の両端部をそれぞれ保持部材７５の保持部７５１に収納して、コア７１の両端部を保持部材７５によって被覆する。その後、一方側の保持部材７５のガイド部７５５から他方側の保持部材７５のガイド部７５５までの間にコイル線材７２ａを順次巻きつけていき、コイル７２を形成する。
次に、第１部材８１ａと第２部材８１ｂとによりコイル７２を挟み込み、第１部材８１ａと第２部材８１ｂとを係合させてコイル７２の外周面をシールドする磁気シールド部材８１を形成する。これによりアンテナ装置８が完成する。
次に、保持部材７５にリードフレーム７７を取り付け、リードフレーム７７の一端側に、コイル線材７２ａの端部を接続する。そして、このリードフレーム７７の他端側を回路基板６上に設けられたアンテナ用端子に接続して、それぞれ半田付けにより固定する。
【００５３】
その後、完成したアンテナ装置８、回路基板、液晶パネルユニットを時計ケース内に収納し、さらに、裏蓋部材を時計ケースの裏面側の開口部に嵌め込んで裏面側の開口部を閉塞する。
【００５４】
電波腕時計による標準電波受信時においては、電波に含まれる電界ノイズが磁気シールド部材８１によって遮断されるとともに、電波の磁界成分が、電波を遮蔽しない材料によって形成された非導電性の部材である時計ガラス部材、文字板上等を透過して、アンテナ装置８のコア７１に進入する。そして、一方側のコア７１からアンテナ装置８に進入した磁束は、コア７１の他方側の端部へと通過する。この通過の際に、コア７１に巻回されたコイル７２に交流電流が誘導され（誘起電流）、これに伴ってコイル７２の両端に交流電圧が発生する。そして、この交流電圧が同調コンデンサを介してアナログ受信信号として検波ＩＣに送られる。このとき、磁気シールド部材８１に設けられたスリット部８２によりコア７１の軸周方向のループ電流の発生が阻止されているので、損失による受信感度の低下を生じることもない。
そして、検波ＩＣにより、このアナログ受信信号について増幅、復調、デコード等の処理が行われ、デジタルの時刻データが取得される。電波腕時計は、取得された時刻データに基づいて、適宜現在時刻の修正を行う。
【００５５】
以上のように、本実施形態によれば、アンテナ装置８が電波の磁気成分のみならず電界成分も拾ってしまうような場合でも、磁気シールド部材８１によって電界ノイズを確実に遮断することができる。そして、この磁気シールド部材８１はコイル７２の外周部のみを覆っており、コア７１の端部はこの磁気シールド部材８１よりも外側に突出しているため、磁気シールド部材８１によって磁界成分の受信が妨げられない。このため、磁気シールド部材８１を厚みのある金属板等で構成してもアンテナ装置８の受信感度を良好に維持することができる。
【００５６】
また、磁気シールド部材８１が第１部材８１ａと第２部材８１ｂとに分割可能となっており、コイル７２をこの第１部材８１ａと第２部材８１ｂとで挟み込むことにより磁気シールド部材８１を構成するようになっているので、組み立てを容易に行うことができる。
なお、本発明が上記各本実施形態に限らず適宜変更可能であるのは勿論である。
【００５７】
例えば、上記実施形態では、スリット部が、コア７１の延在方向に対してほぼ平行に設けられている場合を例として説明したが、スリット部は、磁気シールド部材の長手方向の一端から他端に亘って連続して設けられていればよく、その形状等は特に限定されない。例えば、コア７１の延在方向に対して斜めに設けたり、Z字形や稲妻形等のスリット部を設けてもよい。
また、絶縁部は、空気絶縁によってループ電流の発生を阻止するスリット部に限定されない。例えば、コア７１の長手方向に沿って絶縁材料からなる絶縁部材を配置することにより絶縁部を構成してもよい。
また、絶縁部は、一部分をスリット部とし、一部分を絶縁部材で構成するように組み合わせて構成されていてもよい。
【００５８】
また、上記第１の実施形態では、磁気シールド部材７６が、筒状の第１のシールド部材７６ａと、この第１のシールド部材７６ａの両端の開口部を覆う第２のシールド部材７６ｂとから構成されている場合を例として説明したが、磁気シールド部材７６の構成はこれに限定されない。
【００５９】
例えば図８（ａ）に示すように、アンテナ装置９０に、第２のシールド部材７６ｂを備えず、スリット部９２を備える筒状の磁気シールド部材９１のみで構成されていてもよい。この場合にも、磁気シールド部材９１の内面にはコイル７２とのショートを避けるための絶縁部９３を設けることが好ましい。
またこの場合、図８（ｂ）に示すように、スリット部９２を設ける代わりに、コア７１の長手方向に沿って絶縁材料からなる絶縁部材９４を配置して絶縁部を構成してもよい。絶縁材料９４を挟み込むことによって、確実に磁気シールド部材９１の絶縁を行うことができ、コア７１の軸周方向のループ電流の発生を阻止することができる。
なお、図８（ａ）、図８（ｂ）では、図示の便宜上コア７１が磁気シールド部材９１よりも外側に突出していないが、実際にアンテナ装置として適用する場合にはコア７１を磁気シールド部材９１よりも外側に突出させる。
【００６０】
また、例えば図９（ａ）に示すように、アンテナ装置９５に、金属板等の導体でコイル７２の外周に巻くように磁気シールド部材９６を設けてもよい。この場合、コイル７２の外周に巻きつけた導体の端部を接触しないように重ね合わせ、絶縁部９７としての空隙を設けるようにする。この場合にも、磁気シールド部材９６の内面にはコイル７２とのショートを避けるための絶縁部９８を設けることが好ましい。
またこの場合、図９（ｂ）に示すように、空隙の部分に、絶縁材料９９を挟み込むことにより絶縁部を構成してもよい。絶縁材料９９を挟み込むことによって、確実に磁気シールド部材９６の絶縁を行うことができ、コア７１の軸周方向のループ電流の発生を阻止することができる。
なお、図９（ａ）、図９（ｂ）では、図示の便宜上コア７１が磁気シールド部材９６よりも外側に突出していないが、実際にアンテナ装置として適用する場合にはコア７１を磁気シールド部材９６よりも外側に突出させる。
【００６１】
なお、本実施形態では、コア７１が電波腕時計１００の厚み方向に重畳して配置された複数の板状部材７１ａから形成されている場合を例として説明したが、板状部材７１ａの積層方向はこれに限定されず、電波腕時計１００の厚み方向と直交する方向に積層してもよい。
また、コア７１は、複数の板状部材７１ａを積層したものに限定されず、例えばフェライト等により一体形成されたものでもよい。
また、本実施形態では、コア７１の両端部が保持部材７５によって被覆されている構成を例として説明したが、保持部材７５は必須の構成要素ではなく、保持部材７５を備えない構成としてもよい。
【００６２】
また、本実施形態では、時計ケース１が円形に形成されている場合を例としたが、時計ケース１の形状はこれに限定されず、例えば四角形や多角形等でもよい。
また、液晶パネルユニット５の形状や文字板１８のレイアウト等は、図示例に限定されない。
【００６３】
また、本実施形態では、アンテナ装置を適用する電波受信機器が電波腕時計である場合を例として示したが、アンテナ装置を適用可能な電波受信機器はこれに限られるものではなく、アンテナ装置により電波を受信する構成のものであれば如何なるものであってもよい。例えば、固定式の電波時計や、小型ラジオ、携帯端末等にアンテナ装置を適用してもよい。
【００６４】
その他、本発明が上記実施の形態に限定されないことは勿論である。
【符号の説明】
【００６５】
１      時計ケース（本体ケース）
３      時計ガラス部材
５      液晶パネルユニット
６      回路基板
７      アンテナ装置
１８    文字板
５１    液晶基板（液晶パネル）
７１    コア
７２    コイル
７６    磁気シールド部材
７８    スリット部
７７    リードフレーム
１００  電波腕時計（電波受信機器）
【図１】
2011018955.tif 000003
【図２】
2011018955.tif 000004
【図３】
2011018955.tif 000005
【図４】
2011018955.tif 000006
【図５】
2011018955.tif 000007
【図６】
2011018955.tif 000008
【図７】
2011018955.tif 000009
【図８】
2011018955.tif 000010
【図９】
2011018955.tif 000011